(57)【要約】  【課題】  印刷指示の発行元に、出力先となる画像形成装置の選択を容易に行わせることのできる印刷制御装置および方法並びにプログラムを提供する。  【解決手段】  印刷指示画面生成部１１が、要求受付部１０が受け付けた印刷要求から、該印刷要求の発行元を識別する識別情報を抽出し、該抽出した識別情報に基づいて、印刷処理を実行する画像形成装置の候補を特定し、該特定した画像形成装置の候補を含む画面情報を生成する。そして、生成した画面情報を、印刷指示画面送出部１３が、印刷要求の発行元に提供する。【選択図】        図３
2006127427.tif 000002
【特許請求の範囲】
【請求項１】
印刷要求の発行元に対して、印刷指示を行うための画面情報を提供し、該画面情報に基づいて発行された印刷指示に基づいて画像形成装置に印刷処理を実行させる印刷制御装置であって、
印刷要求を受け付ける印刷要求受付手段と、
前記印刷要求受付手段が受け付けた印刷要求から、該印刷要求の発行元を識別する識別情報を抽出する識別情報抽出手段と、
前記識別情報抽出手段が抽出した識別情報に基づいて、印刷処理を実行する画像形成装置の候補を特定する画像形成装置特定手段と、
前記画像形成装置特定手段が特定した画像形成装置の候補を含む画面情報を生成する画面情報生成手段と、
前記画面情報生成手段が生成した画面情報を、前記印刷要求の発行元に提供する画面情報提供手段と
を具備することを特徴とする印刷制御装置。
【請求項２】
前記識別情報と、印刷処理を実行する画像形成装置との対応を示す対応情報を管理する対応情報管理手段をさらに具備し、
前記画像形成装置特定手段は、前記対応情報管理手段が管理する対応情報に基づいて、印刷処理を実行する画像形成装置の候補を特定する
ことを特徴とする請求項１記載の印刷制御装置。
【請求項３】
前記印刷要求は、画像形成装置から発行され、
前記対応情報は、前記識別情報と、該識別情報で特定される画像形成装置とを対応させた情報である
ことを特徴とする請求項２記載の印刷制御装置。
【請求項４】
前記識別情報は、前記印刷要求の発行元を特定するネットワークアドレスであることを特徴とする請求項１乃至３のいずれかに記載の印刷制御装置。
【請求項５】
前記識別情報は、前記印刷要求の発行元を特定する装置名であることを特徴とする請求項１乃至３のいずれかに記載の印刷制御装置。
【請求項６】
印刷要求の発行元に対して、印刷指示を行うための画面情報を提供し、該画面情報に基づいて発行された印刷指示に基づいて画像形成装置に印刷処理を実行させる印刷制御方法であって、
受け付けた印刷要求から、該印刷要求の発行元を識別する識別情報を抽出し、該抽出した識別情報に基づいて、印刷処理を実行する画像形成装置の候補を特定し、該特定した画像形成装置の候補を含む画面情報を生成し、該生成した画面情報を前記印刷要求の発行元に提供することを特徴とする印刷制御方法。
【請求項７】
前記候補を、前記識別情報と印刷処理を実行する画像形成装置との対応を示す対応情報に基づいて特定することを特徴とする請求項６記載の印刷制御方法。
【請求項８】
印刷要求の発行元に対して、印刷指示を行うための画面情報を提供し、該画面情報に基づいて発行された印刷指示に基づいて画像形成装置に印刷処理を実行させる印刷制御プログラムであって、
印刷要求を受け付ける印刷要求受付処理と、
前記印刷要求受付処理で受け付けた印刷要求から、該印刷要求の発行元を識別する識別情報を抽出する識別情報抽出処理と、
前記識別情報抽出処理で抽出した識別情報に基づいて、印刷処理を実行する画像形成装置の候補を特定する画像形成装置特定処理と、
前記画像形成装置特定処理で特定した画像形成装置の候補を含む画面情報を生成する画面情報生成処理と、
前記画面情報生成処理で生成した画面情報を、前記印刷要求の発行元に提供する画面情報提供処理と
を情報処理装置に実行させることを特徴とする印刷制御プログラム。
【請求項９】
前記識別情報と、印刷処理を実行する画像形成装置との対応を示す対応情報を管理する対応情報管理処理を、前記情報処理装置にさらに実行させ、
前記画像形成装置特定処理は、前記対応情報管理処理で管理する対応情報に基づいて、印刷処理を実行する画像形成装置の候補を特定する
ことを特徴とする請求項８記載の印刷制御プログラム。
【発明の詳細な説明】
【技術分野】
【０００１】
本発明は、印刷制御装置および方法並びにプログラムに関し、特に、印刷指示を入力するための表示画面を生成する情報を、印刷指示の発行元に提供する印刷制御装置および方法並びにプログラムに関する。
【背景技術】
【０００２】
近年、ネットワーク技術の向上に伴って、プリンタ等の画像形成装置を利用した印刷処理をネットワークを利用して行う機会が増加している。このため、ネットワークを利用した様々な技術が提案されている（例えば、特許文献１、特許文献２参照）。
【０００３】
ところで、画像形成装置をネットワークに接続する場合には、接続される画像形成装置の数が複数であることも多く、印刷指示の発行元では、複数の画像形成装置から所望の画像形成装置を出力先として選択することが可能である場合がある。
【０００４】
一方、最近の画像形成装置には、配設されたコントロールパネル等の入力装置から印刷指示を発行し、これを印刷サーバ等の印刷制御装置に送信し、任意の画像形成装置から印刷出力を行わせることができるものもある。
【特許文献１】特開２０００−３５８７１号公報
【特許文献２】特開平９−２８８５５２号公報
【発明の開示】
【発明が解決しようとする課題】
【０００５】
ところで、画像形成装置に配設されたコントロールパネルは、パーソナルコンピュータ等の表示装置よりも小さいものが一般的であり、また、ある程度の大きさのコントロールパネルが配設されていたとしても、コントロールパネルはタッチパネルとして利用することが多いため、結果としてコントロールパネルの表示能力は、パーソナルコンピュータ等の表示装置と比べて低いものであることが多い。
【０００６】
このため、出力先となる画像形成装置を選択する際に、複数の画像形成装置が候補として表示される場合には、画面の切り換え操作を行う必要が生じる場合もあり、その操作は繁雑なものとなる。特に、画像形成装置を操作して出力先を選択する場合には、操作している画像形成装置自体を出力先として選択することが多く、出力先の選択を行う操作が繁雑であれば、利用者の使い勝手が低下することとなる。
【０００７】
また、比較的表示能力の高いパーソナルコンピュータの表示装置に出力先の候補となる画像形成装置を表示する場合でも、その候補数が多ければ、出力先となる画像形成装置を選択する操作が繁雑となることに変わりはない。
【０００８】
そこで、本発明は、印刷指示の発行元に、出力先となる画像形成装置の選択を容易に行わせることのできる印刷制御装置および方法並びにプログラムを提供することを目的とする。
【課題を解決するための手段】
【０００９】
上述した目的を達成するため、請求項１の発明は、印刷要求の発行元に対して、印刷指示を行うための画面情報を提供し、該画面情報に基づいて発行された印刷指示に基づいて画像形成装置に印刷処理を実行させる印刷制御装置であって、印刷要求を受け付ける印刷要求受付手段と、前記印刷要求受付手段が受け付けた印刷要求から、該印刷要求の発行元を識別する識別情報を抽出する識別情報抽出手段と、前記識別情報抽出手段が抽出した識別情報に基づいて、印刷処理を実行する画像形成装置の候補を特定する画像形成装置特定手段と、前記画像形成装置特定手段が特定した画像形成装置の候補を含む画面情報を生成する画面情報生成手段と、前記画面情報生成手段が生成した画面情報を、前記印刷要求の発行元に提供する画面情報提供手段とを具備することを特徴とする。
【００１０】
また、請求項２の発明は、請求項１の発明において、前記識別情報と、印刷処理を実行する画像形成装置との対応を示す対応情報を管理する対応情報管理手段をさらに具備し、前記画像形成装置特定手段は、前記対応情報管理手段が管理する対応情報に基づいて、印刷処理を実行する画像形成装置の候補を特定することを特徴とする。
【００１１】
また、請求項３の発明は、請求項２の発明において、前記印刷要求は、画像形成装置から発行され、前記対応情報は、前記識別情報と、該識別情報で特定される画像形成装置とを対応させた情報であることを特徴とする。
【００１２】
また、請求項４の発明は、請求項１乃至３のいずれかの発明において、前記識別情報は、前記印刷要求の発行元を特定するネットワークアドレスであることを特徴とする。
【００１３】
また、請求項５の発明は、請求項１乃至３のいずれかの発明において、前記識別情報は、前記印刷要求の発行元を特定する装置名であることを特徴とする。
【００１４】
また、請求項６の発明は、印刷要求の発行元に対して、印刷指示を行うための画面情報を提供し、該画面情報に基づいて発行された印刷指示に基づいて画像形成装置に印刷処理を実行させる印刷制御方法であって、受け付けた印刷要求から、該印刷要求の発行元を識別する識別情報を抽出し、該抽出した識別情報に基づいて、印刷処理を実行する画像形成装置の候補を特定し、該特定した画像形成装置の候補を含む画面情報を生成し、該生成した画面情報を前記印刷要求の発行元に提供することを特徴とする。
【００１５】
また、請求項７の発明は、請求項６の発明において、前記候補を、前記識別情報と印刷処理を実行する画像形成装置との対応を示す対応情報に基づいて特定することを特徴とする。
【００１６】
また、請求項８の発明は、印刷要求の発行元に対して、印刷指示を行うための画面情報を提供し、該画面情報に基づいて発行された印刷指示に基づいて画像形成装置に印刷処理を実行させる印刷制御プログラムであって、印刷要求を受け付ける印刷要求受付処理と、前記印刷要求受付処理で受け付けた印刷要求から、該印刷要求の発行元を識別する識別情報を抽出する識別情報抽出処理と、前記識別情報抽出処理で抽出した識別情報に基づいて、印刷処理を実行する画像形成装置の候補を特定する画像形成装置特定処理と、前記画像形成装置特定処理で特定した画像形成装置の候補を含む画面情報を生成する画面情報生成処理と、前記画面情報生成処理で生成した画面情報を、前記印刷要求の発行元に提供する画面情報提供処理とを情報処理装置に実行させることを特徴とする。
【００１７】
また、請求項９の発明は、請求項８の発明において、前記識別情報と、印刷処理を実行する画像形成装置との対応を示す対応情報を管理する対応情報管理処理を、前記情報処理装置にさらに実行させ、前記画像形成装置特定処理は、前記対応情報管理処理で管理する対応情報に基づいて、印刷処理を実行する画像形成装置の候補を特定することを特徴とする。
【発明の効果】
【００１８】
本発明によれば、受け付けた印刷要求から、該印刷要求の発行元を識別する識別情報を抽出し、該抽出した識別情報に基づいて、印刷処理を実行する画像形成装置の候補を特定し、該特定した画像形成装置の候補を含む画面情報を生成し、該生成した画面情報を前記印刷要求の発行元に提供するように構成したので、印刷指示の発行元に、出力先となる画像形成装置の選択を容易に行わせることができる。
【発明を実施するための最良の形態】
【００１９】
以下、本発明に係る印刷制御装置および方法並びにプログラムの一実施の形態について、添付図面を参照して詳細に説明する。
【実施例１】
【００２０】
図１は、本発明を適用した印刷制御装置を含むシステムの構成例を示した図である。同図に示すシステムは、印刷制御装置１と、文書管理装置２、画像形成装置３（３−１〜３−ｎ）が、ネットワーク５を介して接続されている。
【００２１】
印刷制御装置１は、印刷指示を発行するための指示入力画面を画像形成装置３に提供するとともに、提供した指示入力画面を介して発行された印刷指示に基づいて、出力先として指定された画像形成装置３を動作させる。なお、印刷制御装置１は、サーバとして動作させることができるコンピュータで、ソフトウェアに基づいた処理を実行させることで実現されるものである。
【００２２】
文書管理装置２は、文書の実体若しくは所在地（図１では不図示のファイルサーバ等）を管理する。なお、文書管理装置２は、サーバとして動作させることができるコンピュータで、ソフトウェアに基づいた処理を実行させることで実現されるものである。また、文書管理装置２は、印刷制御装置１と同一のコンピュータで構成することも可能である。
【００２３】
画像形成装置３は、それぞれ、プリンタや、プリンタに加えスキャナ等の他の機能を有する複合機等の装置であり、印刷指示の発行を行うとともに、印刷指示に基づいた印刷処理を行う。
【００２４】
ここで、画像形成装置３について説明する。図２は、画像形成装置３の機能的な構成を示すブロック図である。
【００２５】
同図に示すように、画像形成装置３は、制御部３０と、表示・入力部３１、画像形成部３３を具備して構成される。
【００２６】
制御部３０は、他の各部の制御や印刷制御装置１等との通信の制御を行うほか、ウェブブラウザ３３若しくはこれに相当するものを動作させる。この制御部３０は、プロセッサやメモリ等のハードウェアをソフトウェア若しくはファームウェアによって動作させることで実現される。
【００２７】
表示・入力部３１は、タッチパネル等の表示装置で構成され、利用者に対して操作画面等の情報を提供するとともに、指示の入力等を受け付ける。表示・入力部３１が表示する情報は、ウェブブラウザ３３が生成した画面である。
【００２８】
画像形成部３２は、画像処理回路や感光ドラム、フューザ等の用紙に対して印刷を行うための各部の集合である。
【００２９】
なお、図２には示していないが、画像形成装置２は、画像読取部等のスキャナとしての機能を実現するための構成を有するようにしてもよい。
【００３０】
続いて、印刷制御装置１について説明する。前述のように、印刷制御装置１は、印刷指示を発行するための指示入力画面を画像形成装置３に提供するが、この処理は、画像形成装置３のウェブブラウザ３３に対して行う。このため、印刷制御装置１は、画像形成装置３に対して、ウェブサーバとしても動作する。
【００３１】
図３は、印刷制御装置１の機能的な構成を示すブロック図である。同図に示すように、印刷制御装置１は、要求受付部１０と、印刷指示画面生成部１１、対応情報管理部１２、印刷指示画面１３、印刷指示処理部１４を具備して構成される。
【００３２】
要求受付部１０は、画像形成装置３から印刷要求や印刷指示等の要求を受け付ける。これらの要求は、ＨＴＴＰ（HyperText Transfer Protocol）を利用して画像形成装置３から印刷制御装置１に送信されるものである。
【００３３】
印刷指示画面生成部１１は、要求受付部１０が受け付けた印刷要求に基づいて、画像形成装置３が印刷指示を発行する際の印刷指示画面を生成する。この印刷指示画面には、出力先となる画像形成装置３の候補も併せて表示される。
【００３４】
対応情報管理部１２は、要求受付部１０が受け付けた印刷要求に含まれる画像形成装置３の識別情報と、出力先の候補となる画像形成装置３の対応を管理する。印刷要求に含まれる識別情報は、画像形成装置３のネットワークアドレスや、画像形成装置３の名称（プリンタ名）等である。
【００３５】
印刷指示画面送出部１３は、印刷指示画面生成部１１が生成した印刷指示画面を、印刷要求を発した画像形成装置３に対して、送出する。印刷指示画面の送出は、ＨＴＴＰを利用して行われる。
【００３６】
印刷指示処理部１４は、要求受付部１０が受け付けた印刷指示に基づいて、出力先として指定された画像形成装置３に対して、印刷処理を実行させる。
【００３７】
次に、画像形成装置３と印刷制御装置１の印刷処理時の動作について説明する。図４は、画像形成装置３の動作の流れを示すフローチャートであり、図５は、印刷制御装置１の動作の流れを示すフローチャートである。
【００３８】
画像形成装置３は、利用者が表示・入力部３１から入力する印刷指示入力を受け付けると（ステップ１０１でＹＥＳ）、制御部３０が、ウェブブラウザ３３を動作させて、文書管理装置２に対して印刷可能な文書の一覧情報を要求する（ステップ１０２）。この要求に対して、文書管理装置２が文書の一覧情報を返すと、ウェブブラウザ３３は、これを取得し（ステップ１０３）、取得した文書一覧情報を表示・入力部３１に表示する（ステップ１０４）。
【００３９】
次に、利用者が、表示・入力部３１に表示された文書の一覧から印刷対象となる文書を選択すると（ステップ１０５でＹＥＳ）、ウェブブラウザ３３は、選択された文書の印刷要求を印刷制御装置１に送出する（ステップ１０６）。
【００４０】
この印刷要求に対して、印刷制御装置１が、後述する処理を行って、出力先となる画像形成装置３の候補を含む印刷指示画面を送出すると、ウェブブラウザ３３は、この印刷指示画面を取得し（ステップ１０７）、表示・入力部３１に、印刷指示画面を表示する（ステップ１０８）。
【００４１】
その後、利用者が、表示・入力部３１に表示された印刷指示画面に対してパラメータ等を設定し、出力先の画像形成装置３を選択して印刷の実行を指示すると（ステップ１０９でＹＥＳ）、ウェブブラウザ３３は、入力されたパラメータ等に応じた印刷指示を印刷制御装置１に送出し（ステップ１１０）、処理を終了する。
【００４２】
一方、印刷制御装置１は、要求受付部１０が画像形成装置３のウェブブラウザ３３からの印刷要求を受け付けると（ステップ１２１でＹＥＳ）、印刷指示画面生成部１１が、受け付けた印刷要求から画像形成装置３の識別情報を抽出し（ステップ１２２）、抽出した識別情報に基づいて対応情報管理部１２が管理する識別情報と対応情報を確認する（ステップ１２３）。
【００４３】
対応情報管理部１２が管理する対応情報は、図６に示すようなものであり、出力先となる画像形成装置３を特定する情報を識別情報に対応付けたものである。なお、図６（ａ）に示した対応情報は、識別情報がネットワークアドレスである場合の例であり、図６（ｂ）に示した対応情報は、識別情報が画像形成装置３の名称である場合の例である。
【００４４】
また、ここでは、対応情報は、原則として識別情報と同一のものとしている。これは、画像形成装置３から印刷を指示する利用者は、通常、その画像形成装置３から印刷出力が行われることを期待するためである。ただし、１つの画像形成装置３に複数の論理プリンタが設定されている場合には、それらの出力先は、同じ画像形成装置３であるため、複数の論理プリンタのいずれもが、出力先の候補となるように対応情報を設定している。
【００４５】
印刷指示画面生成部１１が、対応情報を確認した結果、識別情報に対応する対応情報があった場合には（ステップ１２４でＹＥＳおよびステップ１２５でＹＥＳ）、印刷指示画面生成部１１は、対応情報に基づいて、出力先の候補となる画像形成装置３を示す装置一覧情報を生成する（ステップ１２６）。また、識別情報に対応する対応情報がなかった場合には（ステップ１２４でＹＥＳおよびステップ１２５でＮＯ）、利用可能な出力先がないと判断して通知を行い終了する（ステップ１２７）。対応する識別情報自体がなかった場合には（ステップ１２４でＮＯ）、印刷指示画面生成部１１は、利用可能な全ての画像形成装置３を出力先の候補とした装置一覧情報を生成する（ステップ１２８）。
【００４６】
装置一覧情報を生成すると、印刷指示画面生成部１１は、生成した装置一覧情報を含む印刷指示画面を生成し（ステップ１２９）、生成した印刷指示画面を印刷指示画面送出部１３が、ウェブブラウザ３３に送出して（ステップ１３０）、印刷制御装置１は、印刷要求に対する処理を終了する。
【００４７】
また、印刷指示装置１は、要求受付部１０が画像形成装置３のウェブブラウザ３３からの印刷指示を受け付けると（ステップ１３１でＹＥＳ）、受け付けた印刷指示で指定された出力先の画像形成装置３に対して、指定された文書を、指定されたパラメータで印刷するよう印刷依頼を発行し（ステップ１３２）、印刷指示に対する処理を終了する。なお、印刷指示に対する処理は、従来から行われている処理と同様であり、当該処理で発行された印刷依頼を受けた画像形成装置３の処理も従来の処理と同様である。
【実施例２】
【００４８】
実施例２は、実施例１の構成に加え、パーソナルコンピュータ等の情報処理装置からも印刷指示を行えるようにしたものである。
【００４９】
図７は、実施例２におけるシステムの構成例を示した図である。同図に示すシステムは、図１に示したシステムに対し、新たに情報処理装置４（４−１〜４−ｍ）をネットワーク５に接続したものである。なお、情報処理装置４は、ウェブブラウザが動作するものとする。
【００５０】
この図７に示したシステムにおいては、画像形成装置３から印刷指示を発行する場合の処理は、実施例１の場合と同様であるため、その処理の説明は省略する。また、情報処理装置４から、文書管理装置２が管理する文書の印刷指示を行う場合も、情報処理装置４のウェブブラウザに対する操作を、画像形成装置３のウェブブラウザ３３に対する操作と同様に行うことで同様に処理できる。
【００５１】
この図７に示したシステムと、図１に示したシステムとの相違点は、情報処理装置４が、文書管理装置２が管理している以外の文書の印刷を指示する場合の処理と、印刷制御装置１の対応情報管理部１２が管理する対応情報が異なる点であるため、以下では、その相違点についてのみ説明する。
【００５２】
図８は、情報処理装置４が文書管理装置２が管理している以外の文書の印刷を指示する場合の、情報処理装置４の動作の流れを示すフローチャートである。
【００５３】
情報処理装置４では、そのウェブブラウザが利用者からの印刷指示入力を受け付けると（ステップ２０１でＹＥＳ）、当該ウェブブラウザは、情報処理装置４が保持ししている印刷対象の文書の一覧情報を表示する（ステップ２０２）。
【００５４】
続いて、利用者が、ウェブブラウザに表示された文書の一覧から印刷対象となる文書を選択すると（ステップ２０３でＹＥＳ）、ウェブブラウザは、選択された文書の印刷要求を印刷制御装置１に送出する（ステップ２０４）。
【００５５】
この印刷要求に対して、印刷制御装置１が、実施例１で図５参照して説明した処理を行って、出力先となる画像形成装置３の候補を含む印刷指示画面を送出すると、ウェブブラウザは、この印刷指示画面を取得し（ステップ２０５）、印刷指示画面を表示する（ステップ２０６）。
【００５６】
その後、利用者が、表示された印刷指示画面に対してパラメータ等を設定し、出力先の画像形成装置３を選択して印刷の実行を指示すると（ステップ２０７でＹＥＳ）、ウェブブラウザは、入力されたパラメータ等に応じた印刷指示を印刷制御装置１に送出し（ステップ２０８）、処理を終了する。
【００５７】
次に、実施例２において、印刷制御装置１の対応情報管理部１２が管理する対応情報について説明する。
【００５８】
実施例２における対応情報は、実施例１で説明した対応情報に、図９に示すような対応情報が加えられたものとなる。情報処理装置４から印刷指示を発行する場合には、画像形成装置３から印刷指示を発行する場合と異なり、出力先の候補となる画像形成装置３の数を増加させている。この出力先の候補となる画像形成装置３は、例えば、情報処理装置４と同じフロアに設置されたものなど、利用する可能性の高いものを設定している。
【００５９】
なお、図９（ａ）に示した対応情報は、各情報処理装置４に画像形成装置３を対応させたものであり、図９（ｂ）に示した対応情報は、情報処理装置４をグループ、例えば、ネットワーク５のうち、同一のサブネットに接続されているものを１つのグループとして管理し、そのグループに画像形成装置３を対応させたものである。
【実施例３】
【００６０】
実施例３は、実施例１で説明したシステムにおいて、画像形成装置３のみが印刷指示を発行し、その出力先として、印刷指示を発行した画像形成装置３自体が指定されることに限定した場合のシステムの例を説明する。
【００６１】
印刷指示に対して、その出力先の候補を、印刷指示を発行した画像形成装置３に限定した場合、前述の識別情報と対応情報は、同一のものとなる。したがって、実施例３における印刷制御装置は、図１０に示す印刷制御装置１’のように、図３に示した対応情報管理部１２を有さない構成となる。なお、要求受付部１０と、印刷指示画面生成部１１、印刷指示画面１３、印刷指示処理部１４については、実施例１で説明した印刷制御装置１と同様のものである。
【００６２】
ここで、印刷制御装置１’の動作について説明する。図１１は、印刷制御装置１’の動作の流れを示すフローチャートである。
【００６３】
印刷制御装置１’は、要求受付部１０が画像形成装置３のウェブブラウザ３３からの印刷要求を受け付けると（ステップ３０１でＹＥＳ）、印刷指示画面生成部１１が、受け付けた印刷要求から画像形成装置３の識別情報を抽出し（ステップ３０２）、抽出した識別情報に基づいて、出力先の候補となる画像形成装置３を示す装置一覧情報を生成する（ステップ３０３）。
【００６４】
装置一覧情報を生成すると、印刷指示画面生成部１１は、生成した装置一覧情報を含む印刷指示画面を生成し（ステップ３０４）、生成した印刷指示画面を印刷指示画面送出部１３が、ウェブブラウザ３３に送出して（ステップ３０５）、印刷制御装置１’は、印刷要求に対する処理を終了する。
【００６５】
また、印刷指示装置１’は、要求受付部１０が画像形成装置３のウェブブラウザ３３からの印刷指示を受け付けると（ステップ３０６でＹＥＳ）、受け付けた印刷指示で指定された出力先の画像形成装置３に対して、指定された文書を、指定されたパラメータで印刷するよう印刷依頼を発行し（ステップ３０７）、印刷指示に対する処理を終了する。
【図面の簡単な説明】
【００６６】
【図１】本発明を適用した印刷制御装置を含むシステムの構成例を示した図である。
【図２】画像形成装置３の機能的な構成を示すブロック図である。
【図３】印刷制御装置１の機能的な構成を示すブロック図である。
【図４】画像形成装置３の動作の流れを示すフローチャートである。
【図５】印刷制御装置１の動作の流れを示すフローチャートである。
【図６】対応情報管理部１２が管理する対応情報の例を示した図である。
【図７】実施例２におけるシステムの構成例を示した図である。
【図８】情報処理装置４が文書管理装置２が管理している以外の文書の印刷を指示する場合の、情報処理装置４の動作の流れを示すフローチャートである。
【図９】実施例２における対応情報の例を示した図である。
【図１０】印刷制御装置１’の機能的な構成を示すブロック図である。
【図１１】印刷制御装置１’の動作の流れを示すフローチャートである。
【符号の説明】
【００６７】
１    印刷制御装置
１’    印刷制御装置
２    文書管理装置
３−１〜３−ｎ    画像形成装置
４−１〜４−ｍ    情報処理装置
１０    要求受付部
１１    印刷指示画面生成部
１２    対応情報管理部
１３    印刷指示画面送出部
１４    印刷指示処理部
３０    制御部
３１    表示・入力部
３２    画像形成部
３３    ウェブブラウザ
【図１】
2006127427.tif 000003
【図２】
2006127427.tif 000004
【図３】
2006127427.tif 000005
【図４】
2006127427.tif 000006
【図５】
2006127427.tif 000007
【図６】
2006127427.tif 000008
【図７】
2006127427.tif 000009
【図８】
2006127427.tif 000010
【図９】
2006127427.tif 000011
【図１０】
2006127427.tif 000012
【図１１】
2006127427.tif 000013